(57)【要約】【課題】イオンを室内に効果的に拡散させることができる照明器具を提供する。【解決手段】照明器具２は、室内を換気するための換気扇２０の動作、及び、イオンを室内に拡散させるためのイオン発生ユニット１６の動作を制御する制御部７６を備える。制御部７６は、換気扇２０の動作を開始させた際には、イオン発生ユニット１６の動作を停止させ、換気扇２０の動作を停止させた際には、イオン発生ユニット１６の動作を開始させる。【選択図】図４
2018139204.tif 000002
【特許請求の範囲】
【請求項１】
室内を照明するための照明器具であって、
前記室内を換気するための換気扇の動作、及び、イオンを前記室内に拡散させるためのイオン発生部の動作を制御する制御部を備え、
前記制御部は、
前記換気扇の動作を開始させた際には、前記イオン発生部の動作を停止させ、
前記換気扇の動作を停止させた際には、前記イオン発生部の動作を開始させる
照明器具。
【請求項２】
前記照明器具は、さらに、前記室内における人の存在を検知するための人感センサを備え、
前記制御部は、
前記人感センサにより前記室内に前記人が存在することが検知された際には、前記換気扇の動作を開始させ、
前記人感センサにより前記室内に前記人が存在することが検知されなくなった際には、前記換気扇の動作を停止させる
請求項１に記載の照明器具。
【請求項３】
前記照明器具は、さらに、前記室内を照明するための発光素子を備え、
前記制御部は、
前記人感センサにより前記室内に前記人が存在することが検知された際には、前記発光素子を点灯させ、且つ、前記換気扇の動作を開始させ、
前記人感センサにより前記室内に前記人が存在することが検知されなくなった際には、前記発光素子を消灯させ、且つ、前記換気扇の動作を停止させる
請求項２に記載の照明器具。
【請求項４】
前記照明器具は、さらに、
外部電源からの所定の電力を前記イオン発生部に供給するオン状態と、前記イオン発生部への前記所定の電力の供給を遮断するオフ状態とに切り替えられる第１のスイッチと、
前記外部電源からの前記所定の電力を前記換気扇に供給するオン状態と、前記換気扇への前記所定の電力の供給を遮断するオフ状態とに切り替えられる第２のスイッチと、を備え、
前記制御部は、
前記第１のスイッチのオン状態とオフ状態とを切り替えることにより、前記イオン発生部の動作を制御し、
前記第２のスイッチのオン状態とオフ状態とを切り替えることにより、前記換気扇の動作を制御する
請求項１〜３のいずれか１項に記載の照明器具。
【請求項５】
前記照明器具は、さらに、
外部電源からの所定の電力を前記イオン発生部及び前記換気扇の一方に選択的に供給する電力供給部と、
前記外部電源と前記電力供給部とを電気的に接続するための第１の端子台と、
前記換気扇と前記電力供給部とを電気的に接続するための第２の端子台と、
前記制御部、前記イオン発生部、前記電力供給部、前記第１の端子台及び前記第２の端子台を収納する器具本体と、を備える
請求項１に記載の照明器具。
【発明の詳細な説明】
【技術分野】
【０００１】
本発明は、室内を照明するための照明器具に関する。
【背景技術】
【０００２】
例えばトイレ等の室内を照明するための照明器具の一つとして、脱臭機能を備えたシーリングライトが知られている（例えば、特許文献１参照）。この種のシーリングライトは、室内の天井に設置される器具本体と、器具本体の下面に配置された発光素子と、器具本体に搭載されたイオン発生ユニットとを備えている。イオン発生ユニットは、送風ファン及びイオン発生器を有している。
【０００３】
室内の空気は、送風ファンによって器具本体の内部に吸い込まれる。器具本体の内部に吸い込まれた空気は、送風ファンによって、イオン発生器により発生したイオンとともに器具本体から室内に向けて吹き出される。器具本体から吹き出されたイオンが室内に拡散することにより、室内を脱臭することができる。
【先行技術文献】
【特許文献】
【０００４】
【特許文献１】特開２０１０−２９５５２号公報
【発明の概要】
【発明が解決しようとする課題】
【０００５】
しかしながら、上述した従来のシーリングライトでは、例えば室内に設置された換気扇が動作している際には、器具本体から吹き出されたイオンが換気扇を通して室外へ排出されてしまい、室内を効果的に脱臭することができないという課題が生じる。
【０００６】
本発明は、このような課題に鑑みてなされたものであり、イオンを室内に効果的に拡散させることができる照明器具を提供することを目的とする。
【課題を解決するための手段】
【０００７】
上記課題を解決するために、本発明の一態様に係る照明器具は、室内を照明するための照明器具であって、前記室内を換気するための換気扇の動作、及び、イオンを前記室内に拡散させるためのイオン発生部の動作を制御する制御部を備え、前記制御部は、前記換気扇の動作を開始させた際には、前記イオン発生部の動作を停止させ、前記換気扇の動作を停止させた際には、前記イオン発生部の動作を開始させる。
【発明の効果】
【０００８】
本発明の一態様に係る照明器具によれば、イオンを室内に効果的に拡散させることができる。
【図面の簡単な説明】
【０００９】
【図１】実施の形態に係る照明器具の床面側の外観を示す斜視図である。
【図２】実施の形態に係る照明器具の天井側の外観を示す斜視図である。
【図３】実施の形態に係る照明器具の一部を分解して示す分解斜視図である。
【図４】実施の形態に係る照明器具の電源ユニットの機能構成を示す概略回路図である。
【図５】実施の形態に係る照明器具の動作を示すフローチャートである。
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態）
以下、実施の形態に係る照明器具について説明する。
【００１３】
［１．照明器具の構成］
［１−１．照明器具の全体構成］
まず、図１〜図３を参照しながら、実施の形態に係る照明器具２の全体構成について説明する。図１は、実施の形態に係る照明器具２の床面側の外観を示す斜視図である。図２は、実施の形態に係る照明器具２の天井４側の外観を示す斜視図である。図３は、実施の形態に係る照明器具２の一部を分解して示す分解斜視図である。
【００１４】
図１に示すように、照明器具２は、例えばトイレ内（室内の一例）の天井４に設置されるシーリングライトである。照明器具２は、トイレ内を照明する機能と、トイレ内の臭い（主に、トイレ内の床面及び壁面等に付着した付着臭）をマイナスイオン（イオンの一例）により脱臭する機能とを備えている。
【００１５】
図１〜図３に示すように、照明器具２は、器具本体６と、器具取付板８と、発光素子１０と、拡散カバー１２と、人感センサ１４と、イオン発生ユニット１６（イオン発生部の一例）と、電源ユニット１８とを備えている。なお、図１〜図３において、Ｚ軸のプラス側が天井４側、Ｚ軸のマイナス側が床面（図示せず）側を表している。
【００１６】
以下、照明器具２の上述した各構成要素について詳細に説明する。なお、図１に示すように、天井４には、トイレ内を換気するための換気扇２０が設置されている。換気扇２０を動作させることにより、トイレ内の臭い（主に、便臭等の空間臭）を外部に排出することができる。
【００１７】
［１−２．器具本体］
図１〜図３を参照しながら、器具本体６について説明する。器具本体６は、発光素子１０、拡散カバー１２、人感センサ１４、イオン発生ユニット１６及び電源ユニット１８等を支持するための筐体である。
【００１８】
図１〜図３に示すように、器具本体６は、支持本体２２と、支持カバー２４とを有している。器具本体６の平面視形状は、例えば直径１８０ｍｍ〜２２０ｍｍ程度の円形状である。
【００１９】
支持本体２２は、発光素子１０、人感センサ１４、イオン発生ユニット１６及び電源ユニット１８を支持するための部材である。図３に示すように、支持本体２２は、円板状の支持部２６と、支持部２６の周縁部から上方（Ｚ軸のプラス側）に延びる側壁部２８とを有している。支持部２６の下面（床面側の面）における中央部には、発光素子１０を取り付けるための凹部（図示せず）が形成されている。側壁部２８には、ネジ３０を挿通するための一対の孔３２が形成されている。図３では、一対の孔３２のうち一方のみを図示してある。なお、支持本体２２は、例えばアルミニウム等の放熱性の高い金属で形成されており、発光素子１０からの熱を放熱するためのヒートシンクとしても機能する。
【００２０】
支持カバー２４は、拡散カバー１２を支持するための部材である。支持カバー２４は、円筒状に形成されている。支持カバー２４は、支持本体２２の側壁部２８を側方から覆うようにして、支持本体２２に着脱自在に取り付けられている。図１及び図３に示すように、支持カバー２４の下端部には、拡散カバー１２を配置するための開口部３４が形成されている。
【００２１】
また、図２及び図３に示すように、支持カバー２４の側面には、吸込口３６及び吹出口３８が形成されている。吸込口３６及び吹出口３８の各々は、支持カバー２４の側面の周方向に沿って長尺状に延び、且つ、支持カバー２４の軸方向（Ｚ軸方向）に間隔を置いて配置された複数のスリットで形成されている。吸込口３６及び吹出口３８は、支持カバー２４の側面の周方向に沿って互いに隣接して配置されている。なお、図３に示すように、吸込口３６及び吹出口３８はそれぞれ、支持カバー２４の側面のうち、イオン発生ユニット１６の吸込部６２及び吹出部６４（後述する）に対応する領域に配置されている。
【００２２】
［１−３．器具取付板］
次に、図２及び図３を参照しながら、器具取付板８について説明する。器具取付板８は、器具本体６を天井４に取り付けるための部材である。
【００２３】
図２及び図３に示すように、器具取付板８は、略円板状に形成されており、例えば鋼板等の板金をプレス加工することにより成形されている。器具取付板８には、木ネジ４０を挿通するための一対の孔４２が形成されている。一対の木ネジ４０をそれぞれ一対の孔４２に挿通させて天井４に捻じ込むことにより、器具取付板８が天井４に取り付けられる。また、器具取付板８の中央部には、電線４４及び電線４６を挿通するための孔４８が形成されている。電線４４は、天井４の裏側に配置された商用電源６８（外部電源の一例）と電源ユニット１８とを電気的に接続するための電線である。電線４６は、換気扇２０と電源ユニット１８とを電気的に接続するための電線である。
【００２４】
器具取付板８の周縁部には、下方（Ｚ軸のマイナス側）に延びる一対の取付片５０が形成されている。一対の取付片５０の各々には、側壁部２８の一対の孔３２に対応して、ネジ３０を捻じ込むためのネジ孔５２が形成されている。一対のネジ３０をそれぞれ側壁部２８の一対の孔３２に挿通させて、一対の取付片５０の各ネジ孔５２に捻じ込むことにより、支持本体２２が器具取付板８に取り付けられる。
【００２５】
［１−４．発光素子］
次に、図１を参照しながら、発光素子１０について説明する。発光素子１０は、例えば白色光を発するための光源である。より具体的には、発光素子１０は、例えば基板上に直接実装されたＬＥＤ（Ｌｉｇｈｔ  Ｅｍｉｔｔｉｎｇ  Ｄｉｏｄｅ）チップが、蛍光体を含有する透光性樹脂によって封止されたＣＯＢ（Ｃｈｉｐ  Ｏｎ  Ｂｏａｒｄ）型の発光モジュールである。
【００２６】
図１に示すように、発光素子１０は、器具本体６の内部に収納され、支持本体２２の支持部２６の凹部に放熱シート（図示せず）を介して取り付けられている。これにより、発光素子１０からの熱は、放熱シートを介して支持本体２２に伝達され、支持本体２２から空気中に放熱される。
【００２７】
［１−５．拡散カバー］
次に、図１及び図３を参照しながら、拡散カバー１２について説明する。拡散カバー１２は、発光素子１０からの光を拡散させるためのカバーである。
【００２８】
図１及び図３に示すように、拡散カバー１２は、略ドーム状に形成され、透光性を有する材料（例えば乳白色のアクリル樹脂等）で形成されている。拡散カバー１２は、支持本体２２の支持部２６の下面の一部を覆うようにして、支持カバー２４の開口部３４に取り付けられている。
【００２９】
［１−６．人感センサ］
次に、図１を参照しながら、人感センサ１４について説明する。人感センサ１４は、照明器具２が設置されたトイレ内に人が存在することを検知するためのセンサである。
【００３０】
図１に示すように、人感センサ１４は、支持本体２２の支持部２６に取り付けられ、支持カバー２４の孔５４を通して器具本体６の外部に露出されている。人感センサ１４は、例えば人の体から放出される赤外線を検知する熱線センサである。
【００３１】
［１−７．イオン発生ユニット］
次に、図３を参照しながら、イオン発生ユニット１６について説明する。イオン発生ユニット１６は、マイナスイオンを含む空気をトイレ内に拡散させるためのユニットである。
【００３２】
図３に示すように、イオン発生ユニット１６は、器具本体６の内部に収納され、支持本体２２の支持部２６の上面に固定されている。イオン発生ユニット１６は、ケース５６と、送風ファン５８と、イオン発生器６０とを有している。
【００３３】
ケース５６の側面には、空気をケース５６の内部に吸い込むための吸込部６２と、空気をケース５６の外部に吹き出すための吹出部６４と、イオン発生器６０により発生したマイナスイオンを外部に放出するための放出部６６とが形成されている。吸込部６２及び吹出部６４は、ケース５６の周方向に沿って互いに隣接して配置されている。図３に示すように、吸込部６２及び吹出部６４はそれぞれ、支持カバー２４の吸込口３６及び吹出口３８に対向する位置に配置されている。
【００３４】
送風ファン５８は、マイナスイオンをトイレ内に拡散させるための気流を発生させるためのものであり、例えばシロッコファンである。送風ファン５８は、ケース５６の内部に収容されている。送風ファン５８は、所定方向に回転することにより、トイレ内の空気を、吸込口３６及び吸込部６２を通してケース５６の内部（器具本体６の内部）に吸い込む。また、送風ファン５８は、上記所定方向に回転することにより、ケース５６の内部に吸い込まれた空気を、吹出部６４及び吹出口３８を通してケース５６の外部（器具本体６の外部）に吹き出す。
【００３５】
イオン発生器６０は、マイナスイオンを発生させるためのものである。イオン発生器６０は、ケース５６の内部に収容されている。イオン発生器６０は、針状放電極と、針状放電極に高電圧（例えば、約６０００Ｖ）を印加する高電圧発生回路と、針状放電極を冷却するペルチェ素子とを有している。針状放電極は、ペルチェ素子のペルチェ効果によって冷却されることにより結露する。高電圧発生回路が針状放電極に結露した空気中の水分に高電圧を印加することにより、ナノメータサイズ（例えば、直径約５〜２０ｎｍ）の微粒子水で包まれたマイナスイオン（いわゆる、ナノイー（登録商標））を発生させる。イオン発生器６０により発生したマイナスイオンは、放出部６６を通してケース５６の外部に放出され、吹出口３８から吹き出された空気とともにトイレ内に拡散される。
【００３６】
なお、ナノイーは、マイナスイオン単独で存在する場合よりも、空気中に長時間（マイナスイオンの約６倍の寿命で）存在することが可能である。また、ナノイーは、ナノメータサイズと非常に小さいため、室内全体に万遍無く拡散し且つ長時間浮遊することができる。ナノイーは、反応性が高く、且つ、臭い成分に作用して無臭成分に分解する能力を持つことが知られている。そのため、ナノイーが室内に拡散することにより、ａ）室内の床面又は壁面等に付着した臭い（付着臭）を脱臭する効果、ｂ）室内に浮遊又は付着しているアレルゲン、ウイルス等を不活化させる効果、ｃ）室内に浮遊又は付着しているカビ、細菌等を除菌する効果等が得られる。
【００３７】
［１−８．電源ユニット］
次に、図３及び図４を参照しながら、電源ユニット１８について説明する。図４は、実施の形態に係る照明器具２の電源ユニット１８の機能構成を示す概略回路図である。
【００３８】
電源ユニット１８は、発光素子１０、イオン発生ユニット１６及び換気扇２０の各動作を制御するためのユニットである。図３に示すように、電源ユニット１８は、器具本体６の内部に収納され、支持本体２２の支持部２６の上面に固定されている。
【００３９】
また、図３に示すように、器具本体６の内部には、電線４４が電気的に接続された第１の端子台７０と、電線４６が電気的に接続された第２の端子台７２とが配置されている。第１の端子台７０は、商用電源６８と電源ユニット１８の電力供給部７４（後述する）とを電気的に接続するためのコネクタである。第２の端子台７２は、換気扇２０と電力供給部７４とを電気的に接続するためのコネクタである。
【００４０】
ここで、電源ユニット１８の機能構成について説明する。図４に示すように、電源ユニット１８は、電力供給部７４と、制御部７６とを有している。
【００４１】
電力供給部７４は、第３の端子台７８と、整流回路８０と、コンバータ８２と、第１のトライアック８４（第１のスイッチの一例）と、第２のトライアック８６（第２のスイッチの一例）とを有している。
【００４２】
第３の端子台７８は、ａ）第１の端子台７０と整流回路８０とを電気的に接続し、ｂ）イオン発生ユニット１６の整流回路８８（後述する）と第１のトライアック８４とを電気的に接続し、且つ、ｃ）第２の端子台７２と第２のトライアック８６とを電気的に接続するためのコネクタである。
【００４３】
整流回路８０は、第３の端子台７８の出力側に電気的に接続されている。整流回路８０は、商用電源６８からの交流電力（例えばＡＣ１００Ｖ）（所定の電力の一例）を直流電力に変換するための回路である。整流回路８０は、例えば４つのダイオードを用いたブリッジ回路である。
【００４４】
なお、図示しないが、第３の端子台７８と整流回路８０との間には、ノイズを除去するためのコンデンサ及びラインフィルタ等が実装されていてもよい。
【００４５】
コンバータ８２は、整流回路８０と発光素子１０との間に電気的に接続されている。コンバータ８２は、整流回路８０からの直流電力の電圧を降圧するためのＤＣ−ＤＣコンバータである。コンバータ８２からの直流電力が発光素子１０に供給されることにより、発光素子１０が点灯する。
【００４６】
第１のトライアック８４は、第３の端子台７８の出力側とイオン発生ユニット１６との間に電気的に接続されている。第１のトライアック８４は、オン状態とオフ状態とに切り替えられる。第１のトライアック８４がオン状態に保持されている際には、商用電源６８からの交流電力が第１の端子台７０、第３の端子台７８及び第１のトライアック８４を介してイオン発生ユニット１６に供給される。一方、第１のトライアック８４がオフ状態に保持されている際には、イオン発生ユニット１６への商用電源６８からの交流電力の供給が遮断される。
【００４７】
第２のトライアック８６は、第３の端子台７８の出力側と第２の端子台７２との間に電気的に接続されている。第２のトライアック８６は、オン状態とオフ状態とに切り替えられる。第２のトライアック８６がオン状態に保持されている際には、商用電源６８からの交流電力が第１の端子台７０、第２の端子台７２、第３の端子台７８及び第２のトライアック８６を介して換気扇２０に供給される。一方、第２のトライアック８６がオフ状態に保持されている際には、換気扇２０への商用電源６８からの交流電力の供給が遮断される。
【００４８】
なお、図示しないが、第１のトライアック８４と第３の端子台７８との間、及び、第２のトライアック８６と第３の端子台７８との間にはそれぞれ、ノイズを除去するためのラインフィルタ等が実装されていてもよい。
【００４９】
制御部７６は、人感センサ１４からの検知結果に基づいて、コンバータ８２、第１のトライアック８４及び第２のトライアック８６の各動作を制御するためのコントローラである。
【００５０】
具体的には、制御部７６は、コンバータ８２を動作させることにより発光素子１０を点灯させ、コンバータ８２の動作を停止させることにより発光素子１０を消灯させる。また、制御部７６は、第１のトライアック８４をオフ状態からオン状態に切り替えることにより、イオン発生ユニット１６の動作を開始させ、第１のトライアック８４をオン状態からオフ状態に切り替えることにより、イオン発生ユニット１６の動作を停止させる。また、制御部７６は、第２のトライアック８６をオフ状態からオン状態に切り替えることにより、換気扇２０の動作を開始させ、第２のトライアック８６をオン状態からオフ状態に切り替えることにより、換気扇２０の動作を停止させる。
【００５１】
なお、制御部７６は、第１のトライアック８４と第２のトライアック８６とを排他的に動作させる。これにより、商用電源６８からの交流電力は、イオン発生ユニット１６及び換気扇２０の一方に選択的に供給される。
【００５２】
さらに、イオン発生ユニット１６は、商用電源６８からの交流電力を直流電力に変換するための整流回路８８を有している。整流回路８８は、例えば４つのダイオードを用いたブリッジ回路である。整流回路８８からの直流電力は、例えば上述した送風ファン５８及びイオン発生器６０（図３参照）等に供給される。なお、図示しないが、イオン発生ユニット１６は、ノイズを除去するためのコンデンサ及びビーズインダクタ等を有していてもよい。
【００５３】
［１−９．照明器具の動作］
次に、図４及び図５を参照しながら、上述した照明器具２の動作について説明する。図５は、実施の形態に係る照明器具２の動作を示すフローチャートである。
【００５４】
照明器具２が設置されたトイレ内に人が入ってくるまでの間、人感センサ１４は、トイレ内に人が存在することを検知しない。このとき、制御部７６は、人感センサ１４からの検知結果に基づいて、コンバータ８２の動作を停止させ、且つ、第１のトライアック８４をオン状態に、第２のトライアック８６をオフ状態に保持している。これにより、発光素子１０は消灯しており、且つ、イオン発生ユニット１６は動作し（Ｓ１）、換気扇２０は動作を停止している。
【００５５】
人感センサ１４がトイレ内に人が存在することを検知しない間（Ｓ２でＮＯ）、発光素子１０は消灯を継続し、且つ、イオン発生ユニット１６は動作を継続し（Ｓ１）、換気扇２０は動作の停止を継続する。このとき、図２に示すように、イオン発生ユニット１６により発生したマイナスイオンを含む空気がトイレ内に拡散することにより、トイレ内の付着臭が除去される。
【００５６】
その後、トイレ内に人が入ってきた際には、人感センサ１４は、トイレ内に人が存在することを検知する（Ｓ２でＹＥＳ）。制御部７６は、人感センサ１４からの検知結果に基づいて、第１のトライアック８４をオン状態からオフ状態に切り替える。これにより、イオン発生ユニット１６の動作が停止する（Ｓ３）。また、制御部７６は、コンバータ８２の動作を開始させ、且つ、第２のトライアック８６をオフ状態からオン状態に切り替える。これにより、発光素子１０が点灯し、且つ、換気扇２０の動作が開始する（Ｓ４）。
【００５７】
人感センサ１４がトイレ内に人が存在することを検知している間（Ｓ５でＹＥＳ）、発光素子１０は点灯を継続し、且つ、イオン発生ユニット１６は動作の停止を継続し、換気扇２０は動作を継続する。これにより、発光素子１０からの光によりトイレ内が照明され、且つ、換気扇２０によりトイレ内が換気されることによってトイレ内の空間臭が除去される。
【００５８】
その後、人がトイレから出て行った際には、人感センサ１４は、トイレ内に人が存在することを検知しない（Ｓ５でＮＯ）。制御部７６は、人感センサ１４からの検知結果に基づいて、コンバータ８２の動作を停止させ、且つ、第２のトライアック８６をオン状態からオフ状態に切り替える。これにより、発光素子１０が消灯し、且つ、換気扇２０の動作が停止する（Ｓ６）。また、制御部７６は、第１のトライアック８４をオフ状態からオン状態に切り替える。これにより、イオン発生ユニット１６の動作が開始する（Ｓ７）。その後、上述したステップＳ１〜Ｓ７が繰り返し実行される。
【００５９】
［２．効果］
本実施の形態の照明器具２は、室内を照明するための照明器具である。照明器具２は、室内を換気するための換気扇２０の動作、及び、イオンを室内に拡散させるためのイオン発生ユニット１６の動作を制御する制御部７６を備える。制御部７６は、換気扇２０の動作を開始させた際には、イオン発生ユニット１６の動作を停止させ、換気扇２０の動作を停止させた際には、イオン発生ユニット１６の動作を開始させる。
【００６０】
これによれば、イオン発生ユニット１６と換気扇２０とを排他的に動作させることにより、イオン発生ユニット１６からのイオンが換気扇２０を通して室外に排出されるのを抑制することができ、イオンを室内に効果的に拡散させることができる。
【００６１】
さらに、照明器具２は、さらに、室内における人の存在を検知するための人感センサ１４を備える。制御部７６は、人感センサ１４により室内に人が存在することが検知された際には、換気扇２０の動作を開始させる。制御部７６は、人感センサ１４により室内に人が存在することが検知されなくなった際には、換気扇２０の動作を停止させる。
【００６２】
これによれば、室内に人が存在する際には、室内に空間臭が発生しやすいため、換気扇２０で室内を換気することにより、例えば室内の空間臭を除去することができる。また、室内に人が存在しない際には、イオン発生ユニット１６でイオンを室内に拡散させることにより、例えば換気扇２０で除去できなかった室内の付着臭を除去することができる。
【００６３】
さらに、照明器具２は、さらに、室内を照明するための発光素子１０を備える。制御部７６は、人感センサ１４により室内に人が存在することが検知された際には、発光素子１０を点灯させ、且つ、換気扇２０の動作を開始させる。制御部７６は、人感センサ１４により室内に人が存在することが検知されなくなった際には、発光素子１０を消灯させ、且つ、換気扇２０の動作を停止させる。
【００６４】
これによれば、室内に人が入ってきた際に、室内の照明と換気とを自動的に行うことができ、利便性を高めることができる。
【００６５】
さらに、照明器具２は、さらに、商用電源６８からの交流電力をイオン発生ユニット１６に供給するオン状態と、イオン発生ユニット１６への交流電力の供給を遮断するオフ状態とに切り替えられる第１のトライアック８４と、商用電源６８からの交流電力を換気扇２０に供給するオン状態と、換気扇２０への交流電力の供給を遮断するオフ状態とに切り替えられる第２のトライアック８６とを備える。制御部７６は、第１のトライアック８４のオン状態とオフ状態とを切り替えることにより、イオン発生ユニット１６の動作を制御し、第２のトライアック８６のオン状態とオフ状態とを切り替えることにより、換気扇２０の動作を制御する。
【００６６】
これによれば、換気扇２０の及びイオン発生ユニット１６の各動作を容易に制御することができる。
【００６７】
さらに、照明器具２は、さらに、商用電源６８からの交流電力をイオン発生ユニット１６及び換気扇２０の一方に選択的に供給する電力供給部７４と、商用電源６８と電力供給部７４とを電気的に接続するための第１の端子台７０と、換気扇２０と電力供給部７４とを電気的に接続するための第２の端子台７２と、制御部７６、イオン発生ユニット１６、電力供給部７４、第１の端子台７０及び第２の端子台７２を収納する器具本体６とを備える。
【００６８】
これによれば、照明器具２の小型化を図ることができる。
【００６９】
（変形例等）
以上、本発明について実施の形態に基づいて説明したが、本発明は、上記実施の形態に限定されるものではない。
【００７０】
上記実施の形態では、照明器具２をトイレに設置したが、これに限定されず、臭いが気になる室内、例えば住宅の玄関、シューズクローク、ウォークインクローゼット又は階段の踊り場等に設置してもよい。
【００７１】
また、上記実施の形態では、人感センサ１４を熱線センサとしたが、これに限定されず、例えば超音波等で人の存在の有無を検知するセンサであってもよい。
【００７２】
また、上記実施の形態では、発光素子１０をＣＯＢ型の発光モジュールとしたが、これに限定されず、例えばパッケージ化された表面実装（ＳＭＤ：Ｓｕｒｆａｃｅ  Ｍｏｕｎｔ  Ｄｅｖｉｃｅ）型の発光モジュールとしてもよい。
【００７３】
また、上記実施の形態では、発光素子１０としてＬＥＤチップを用いた発光モジュールを用いたが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【００７４】
また、上記実施の形態では、照明器具２を天井４に取り付けたが、これに限定されず、例えば室内の壁等に取り付けてもよい。
【００７５】
また、上記実施の形態では、照明器具２をシーリングライトとしたが、これに限定されず、例えばシャンデリア、ペンダントライト、ブラケットライト、バスルームライト又はキッチンライト等としてもよい。
【００７６】
また、制御部７６は、タイマを有していてもよい。これにより、制御部７６は、例えばイオン発生ユニット１６を２．５時間連続して動作させた後に、イオン発生ユニット１６を１時間連続して停止させるサイクルを１日に３サイクル繰り返してもよい。
【００７７】
その他、上記実施の形態等に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００７８】
２  照明器具
６  器具本体
１０  発光素子
１４  人感センサ
１６  イオン発生ユニット（イオン発生部）
２０  換気扇
６８  商用電源（外部電源）
７０  第１の端子台
７２  第２の端子台
７４  電力供給部
７６  制御部
８４  第１のトライアック（第１のスイッチ）
８６  第２のトライアック（第２のスイッチ）
【図１】
2018139204.tif 000003
【図２】
2018139204.tif 000004
【図３】
2018139204.tif 000005
【図４】
2018139204.tif 000006
【図５】
2018139204.tif 000007